【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
記録材の表面から反射する反射光を読み取ることにより記録材表面の映像を得る映像読取手段を含み、該映像読取手段によって得られた前記記録材表面の映像を用いて該記録材の第１の属性を判定する反射光判定手段と、
前記記録材を透過する透過光を用いて前記記録材の第２の属性を判定する透過光判定手段と
を備え、前記第１の属性と前記第２の属性とに基づいて前記記録材の種類を判別することを特徴とする記録材判別装置。
【請求項２】
前記第１の属性は、前記記録材の表面の平滑度であり、前記反射光判定手段は、前記記録材表面の映像の一定の領域内で算出した濃淡比から前記第１の属性を判定することを特徴とする請求項１に記載の記録材判別装置。
【請求項３】
前記濃淡比は、前記映像読取手段に含まれる画素毎に前記一定の領域内の隣接する画素間の濃度差を求め、該濃度差に基づいて算出することを特徴とする請求項２に記載の記録材判別装置。
【請求項４】
前記第２の属性は、前記記録材の材厚であり、前記透過光判定手段は、前記透過光の光量に基づいて前記第２の属性を判定することを特徴とする請求項１、２または３に記載の記録材判別装置。
【請求項５】
前記記録材の表面から反射する反射光の光量を検出して、当該検出された光量を用いて第３の属性を判定する反射光量判定手段をさらに備え、
前記第１の属性と、前記第２の属性と、前記第３の属性とに基づいて前記記録材の種類を判別することを特徴とする請求項１ないし４のいずれかに記載の記録材判別装置。
【請求項６】
前記記録材を透過させずに前記映像読取手段によって得られた映像に基づいて前記一定の領域に含まれる画素から光量むらのない画素を選択して、該光量むらのない画素のみを用いて前記記録材の種類を判別することを特徴とする請求項１ないし５のいずれかに記載の記録材判別装置。
【請求項７】
前記光量むらのない画素は、前記映像読取手段によって得られた映像において、隣接する画素との濃度差が予め定められた値より低い画素であることを特徴とする請求項６に記載の記録材判別装置。
【請求項８】
前記映像読取手段は、ＣＭＯＳエリアセンサまたはＣＣＤセンサであることを特徴とする請求項１ないし７のいずれかに記載の記録材判別装置。
【請求項９】
前記映像読取手段は、前記読み取った映像をデジタル情報に変換して出力することを特徴とする請求項２ないし８のいずれかに記載の記録材判別装置。
【請求項１０】
潜像を担持する潜像担持体と、該潜像担持体に現像剤を付与することにより前記潜像を現像剤像として可視化する現像手段と、一定の方向に搬送される記録材に該現像手段による該現像剤像を転写する転写手段と、該転写手段によって前記現像剤像を転写された前記記録材を一定の定着処理条件において加熱および加圧することにより前記現像剤像を記録材に定着させる定着手段とを備えた画像形成装置において、
前記記録材の表面から反射する反射光を読み取ることにより記録材表面の映像を得る映像読取手段を含み、前記転写手段による転写の前に該映像読取手段によって得られた前記記録材表面の映像を用いて該記録材の第１の属性を判定する反射光判定手段と、
前記記録材を透過する透過光を用いて、前記記録材の第２の属性を判定する透過光判定手段と、
前記転写手段による転写の前に得られた前記第１の属性と前記第２の属性とに基づいて前記記録材の種類を判別し、当該判別された種類に対応する前記定着処理条件を設定する制御手段と
を備えたことを特徴とする画像形成装置。
【請求項１１】
前記第１の属性は、前記記録材の表面の平滑度であり、前記反射光判定手段は、前記記録材表面の映像の一定の領域内で算出した濃淡比から前記第１の属性を判定することを特徴とする請求項１０に記載の画像形成装置。
【請求項１２】
前記濃淡比は、前記映像読取手段に含まれる画素毎に前記一定の領域内の隣接する画素間の濃度差を求め、該濃度差に基づいて算出することを特徴とする請求項１１に記載の画像形成装置。
【請求項１３】
前記第２の属性は、前記記録材の材厚であり、前記透過光判定手段は、前記透過光の光量に基づいて前記第２の属性を判定することを特徴とする請求項１０ないし１２のいずれかに記載の画像形成装置。
【請求項１４】
前記記録材の表面から反射する反射光の光量を検出して、当該検出された光量を用いて第３の属性を判定する反射光量判定手段をさらに備え、
前記第１の属性と、前記第２の属性と、前記第３の属性とに基づいて前記記録材の種類を判別することを特徴とする請求項１０ないし１３のいずれかに記載の画像形成装置。
【請求項１５】
前記制御手段は、前記記録材を透過させずに前記映像読取手段によって得られた映像に基づいて前記一定の領域に含まれる画素から光量むらのない画素を選択して、該光量むらのない画素のみを用いて前記記録材の種類を判別することを特徴とする請求項１０ないし１４のいずれかに記載の画像形成装置。
【請求項１６】
前記光量むらのない画素は、前記映像読取手段によって得られた映像において、隣接する画素との濃度差が予め定められた値より低い画素であることを特徴とする請求項１５に記載の画像形成装置。
【請求項１７】
前記映像読取手段は、ＣＭＯＳエリアセンサまたはＣＣＤセンサであることを特徴とする請求項１０ないし１６のいずれかに記載の画像形成装置。
【請求項１８】
前記映像読取手段は、前記読み取った映像をデジタル情報に変換して出力することを特徴とする請求項１０ないし１７のいずれかに記載の画像形成装置。
【請求項１９】
記録材の表面から反射する反射光を読み取って前記記録材の第１の属性を判定する反射光判定手段と、
前記記録材を透過する透過光を読み取って前記記録材の第２の属性を判定する透過光判定手段と、
前記記録材の種類を判別する判別手段とを備え、
前記判別手段は、前記透過光判定手段の判定結果に基づいて、前記透過光判定手段と前記反射光判定手段とを用いて前記記録材の種類を判別するか、前記透過光判定手段を用いないで前記反射光判定手段を用いて前記記録材の種類を判別するかを決定することを特徴とする記録材判別装置。
【請求項２０】
前記判別手段は、前記透過光判定手段によって前記記録材が予め定められた種類の記録材であると判定された場合、前記透過光判定手段を用いないで前記反射光判定手段を用いて前記記録材の種類を判別すると決定し、前記記録材が予め定められた種類の記録材でないと判定された場合、前記透過光判定手段と前記反射光判定手段とを用いて前記記録材の種類を判別すると決定することを特徴とする請求項１９に記載の記録材判別装置。
【請求項２１】
前記予め定められた種類の記録材は、ＯＨＴを含むことを特徴とする請求項１９または手段２０に記載の記録材判別装置。
【請求項２２】
前記反射光を読み取って記録材表面の映像をさらに得て、前記透過光を読み取り、前記記録剤を透過する透過光量を得るための読み取り装置をさらに備えたことを特徴とする請求項１９ないし２１のいずれかに記載の記録材判別装置。
【請求項２３】
記録材の表面から反射する反射光を読み取って前記記録材の第１の属性を判定する反射光判定手段と、前記記録材を透過する透過光を読み取って前記記録材の第２の属性を判定する透過光判定手段とを備えた記録材判別装置の制御方法であって、
前記透過光判定手段によって、前記記録材の種類を判定する判定ステップと、
前記判別ステップの判別結果に基づいて、前記反射光判定手段と前記透過光判定手段とを用いて前記記録材の種類を判別する第１の判別方法と、前記透過光判定手段を用いないで前記反射光判定手段を用いて前記記録材の種類を判別する第２の判別方法とを選択する選択ステップと
を備えたことを特徴とする記録材判別方法。
【請求項２４】
前記選択ステップは、
前記判定ステップにおいて前記記録材が予め定められた種類の記録材であると判定した場合、前記第２の判別方法を選択し、前記記録材が予め定められた種類の記録材でないと判定した場合、前記第１の判別方法を選択するステップを含むことを特徴とする請求項２３に記載の記録材判別方法。
【請求項２５】
前記予め定められた種類の記録材は、ＯＨＴを含むことを特徴とする請求項２３または２４に記載の記録材判別方法。
【請求項２６】
潜像を担持する潜像担持体と、前記潜像を現像する現像部と、記録材に現像剤像を転写する転写部と、前記転写部によって転写された前記記録材上の現像剤像を定着させる定着装置とを備えた画像形成装置において、
前記記録材の表面から反射する反射光を読み取って、前記転写部による転写の前に前記記録材の第１の属性を判定する反射光判定手段と、
前記記録材を透過する透過光を読み取って、前記記録材の第２の属性を判定する透過光判定手段と、
前記記録材の種類を判別する判別手段と
を備え、前記判別手段は、前記透過光判定手段の判定結果に基づいて、前記透過光判定手段と前記反射光判定手段とを用いて前記記録材の種類を判別するか、前記透過光判定手段を用いないで前記反射光判定手段を用いて前記記録材の種類を判別するかを決定することを特徴とする画像形成装置。
【請求項２７】
前記判別手段は、前記透過光判定手段によって前記記録材が予め定められた種類の記録材であると判定された場合、前記透過光判定手段を用いないで前記反射光判定手段を用いて前記記録材の種類を判別すると決定し、前記記録材が予め定められた種類の記録材でないと判定された場合、前記透過光判定手段と前記反射光判定手段とを用いて前記記録材の種類を判別すると決定することを特徴とする請求項２６に記載の画像形成装置。
【請求項２８】
前記予め定められた種類の記録材は、ＯＨＴを含むことを特徴とする請求項２６または２７に記載の画像形成装置。
【請求項２９】
前記反射光を読み取って記録材表面の映像をさらに得て、前記透過光を読み取って前記記録剤を透過する透過光量を得るための読み取り装置をさらに備えたことを特徴とする請求項２６ないし２８のいずれかに記載の画像形成装置。
【請求項３０】
前記判別手段により判別された前記記録材の種類に応じて前記定着装置における定着条件を設定するコントローラをさらに備えたことを特徴とする請求項２６ないし２９のいずれかに記載の画像形成装置。
【請求項３１】
記録材の表面から反射する反射光を得るため該記録材に光を照射する第１の照射部材と、
前記記録材を透過する透過光を得るため前記記録材に光を照射する第２の照射部材と、
前記記録材からの反射光または透過光を読み取る読み取り装置と、
前記第１の照射部材と前記第２の照射部材とに前記記録材へ光を照射させ、前記読み取り装置の読み取り結果に基づいて前記記録材の種類を判別する判別手段と
を備え、前記判別手段は、前記記録材が予め定められた記録材であるかどうかによって、前記第１の照射部材と前記第２の照射部材を用いて前記記録材の種類を判別するか、前記第２の照射部材を用いないで前記第１の照射部材を用いて前記記録材の種類を判別するかを決定することを特徴とする記録材判別装置。
【請求項３２】
前記予め定められた記録材は、ＯＨＴを含むことを特徴とする請求項３１に記載の記録材判別装置。
【請求項３３】
前記読み取り装置は、前記反射光を読み取って記録材表面の映像をさらに得て、前記透過光を読み取って前記記録剤を透過する透過光量を得ることを特徴とする請求項３１または３２に記載の記録材判別装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】変更
【補正の内容】
【００１３】
また、本願発明の画像形成装置は、潜像を担持する潜像担持体と、潜像担持体に現像剤を付与することにより潜像を現像剤像として可視化する現像手段と、一定の方向に搬送される記録材に現像手段による現像剤像を転写する転写手段と、転写手段によって現像剤像を転写された記録材を一定の定着処理条件において加熱および加圧することにより現像剤像を記録材に定着させる定着手段とを備えた画像形成装置において、記録材の表面から反射する反射光を読み取ることにより記録材表面の映像を得る映像読取手段を含み、転写手段による転写の前に映像読取手段によって得られた記録材表面の映像を用いて記録材の第１の属性を判定する反射光判定手段と、記録材を透過する透過光を用いて、記録材の第２の属性を判定する透過光判定手段と、転写手段による転写の前に得られた第１の属性と第２の属性とに基づいて記録材の種類を判別し、判別された種類に対応する定着処理条件を設定する制御手段とを備えたことを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
また、本願発明の記録材判別装置は、記録材の表面から反射する反射光を読み取って記録材の第１の属性を判定する反射光判定手段と、記録材を透過する透過光を読み取って記録材の第２の属性を判定する透過光判定手段と、記録材の種類を判別する判別手段とを備え、判別手段は、透過光判定手段の判定結果に基づいて、透過光判定手段と反射光判定手段とを用いて記録材の種類を判別するか、透過光判定手段を用いないで反射光判定手段を用いて記録材の種類を判別するかを決定することを特徴とする。
【手続補正６】
【補正対象書類名】明細書
【補正対象項目名】００１６
【補正方法】変更
【補正の内容】
【００１６】
また、本願発明の記録材判別装置は、記録材の表面から反射する反射光を読み取って記録材の第１の属性を判定する反射光判定手段と、記録材を透過する透過光を読み取って記録材の第２の属性を判定する透過光判定手段とを備えた記録材判別装置の制御方法であって、透過光判定手段によって、記録材の種類を判定する判定ステップと、判別ステップの判別結果に基づいて、反射光判定手段と透過光判定手段とを用いて記録材の種類を判別する第１の判別方法と、透過光判定手段を用いないで反射光判定手段を用いて記録材の種類を判別する第２の判別方法とを選択する選択ステップとを備えたことを特徴とする。
【手続補正７】
【補正対象書類名】明細書
【補正対象項目名】００１７
【補正方法】変更
【補正の内容】
【００１７】
また、本願発明の画像形成装置は、潜像を担持する潜像担持体と、潜像を現像する現像部と、記録材に現像剤像を転写する転写部と、転写部によって転写された記録材上の現像剤像を定着させる定着装置とを備えた画像形成装置において、記録材の表面から反射する反射光を読み取って、転写部による転写の前に記録材の第１の属性を判定する反射光判定手段と、記録材を透過する透過光を読み取って、記録材の第２の属性を判定する透過光判定手段と、記録材の種類を判別する判別手段とを備え、判別手段は、透過光判定手段の判定結果に基づいて、透過光判定手段と反射光判定手段とを用いて記録材の種類を判別するか、透過光判定手段を用いないで反射光判定手段を用いて記録材の種類を判別するかを決定することを特徴とする。
【手続補正８】
【補正対象書類名】明細書
【補正対象項目名】００１８
【補正方法】変更
【補正の内容】
【００１８】
また、本願発明の記録材判別装置は、記録材の表面から反射する反射光を得るため記録材に光を照射する第１の照射部材と、記録材を透過する透過光を得るため記録材に光を照射する第２の照射部材と、記録材からの反射光または透過光を読み取る読み取り装置と、第１の照射部材と第２の照射部材とに記録材へ光を照射させ、読み取り装置の読み取り結果に基づいて記録材の種類を判別する判別手段とを備え、判別手段は、記録材が予め定められた記録材であるかどうかによって、第１の照射部材と第２の照射部材を用いて記録材の種類を判別するか、第２の照射部材を用いないで第１の照射部材を用いて記録材の種類を判別するかを決定することを特徴とする。